(57)【特許請求の範囲】
【請求項１】
一面に長手方向に直交する凹凸を長手方向に繰り返し形成してなる歯面を有する歯付ベルトの端部同士を、連結具にて連結する歯付ベルトの連結装置であって、前記連結具には、長手方向に沿って、側方へ開放し、前記歯付ベルトの端部を受け入れる係合溝を形成し、該係合溝内の一側壁には前記歯面と相補的な関係にある凹凸繰り返し構造であり、該歯面に噛合する噛合部を形成し、前記連結具の係合溝に前記歯付ベルトの端部を噛合した状態で、少なくとも歯付ベルトの端部に対応する前記係合溝を塞ぐためのカバー片を設け、該カバー片は、前記係合溝の側面側開口部を有する面の一方の縁部に薄肉のヒンジ部を介して一体成形により形成するとともに、該カバー片の遊端部を前記係合溝の側面側開口部を有する面の他方の縁部に設けた嵌合部に係脱可能に係合してなることを特徴とする歯付ベルトの連結装置。
【請求項２】
前記係合溝の深さ方向中央部から開口部にかけて溝幅を僅かに拡開させて形成したテーパ部、又は前記係合溝内の噛合部を設けた側壁と対面する側壁に該係合溝に沿った所定間隔毎に、該係合溝の深さ方向に延びて形成した係合リブの何れか一方、又は双方を設けてなる請求項１記載の歯付ベルトの連結装置。
【請求項３】
複数の支柱を所定間隔を隔てて立設し、隣接する一対の支柱の表面側と裏面側のそれぞれに亘ってガラスパネル体を装着し、表裏のガラスパネル体間にブラインドを配設し、一側面に開口部を設けた支柱の上下中間位置に、操作輪をその一部が前面側に露出するように設け且つ支柱の内部に前記操作輪に固定した主プーリを設けるとともに、前記支柱の上部内部にブラインドのスラット角度を調節するスラット角度調節軸に固定した従動プーリを設け、前記主プーリと従動プーリとに歯付ベルトを巻回し、前記操作輪を回転操作してスラット角度を調節する構造のブラインド内蔵間仕切装置において、直線状の歯付ベルトを前記支柱の開口部から内部に挿入して前記主プーリと従動プーリとに巻回し、該主プーリと従動プーリとの間で前記歯付ベルトの両端部を前記連結具にてテンションを調節して連結してなる請求項１又は２記載の歯付ベルトの連結装置。
【発明の詳細な説明】
【技術分野】
【０００１】
本発明は、歯付ベルトの連結装置に係わり、更に詳しくは直線状の歯付ベルトの端部同士を連結してループ状とする歯付ベルトの連結装置に関するものである。
【背景技術】
【０００２】
従来から、歯付ベルトの連結装置として、特許文献１に記載のものがある。つまり、特許文献１には、直線状の歯付ベルトをループ状にしたときに該歯付ベルトの両端を連結し、その連結部が歯付プーリ間で往復運動する歯付ベルト用継手において、前記歯付ベルトと同一な歯形を有し歯付ベルトの両端に噛み合った歯付ベルト片と、前記噛み合った歯付ベルトと歯付ベルト片を背面側から挟持する挟持手段と、を備えた歯付ベルト用継手が開示されている。
【０００３】
ここで、前記挟持手段は、前記歯付ベルトの背面側に配設されたテーブルと、前記歯付ベルト片の背面側に配設されたクランププレートと、該クランププレートを前記テーブルに固定するクランプボルトとからなる構造である。また、前記クランププレートには、前記歯付ベルト片を係止するための係止部材が取付けられている。
【０００４】
確かに、前述の特許文献１に記載の継手を用いれば、歯付ベルトの両端を連結することはできるが、その連結作業には困難を極めるのである。つまり、先ず歯付ベルトの両端を、位置を調節しながら歯付ベルト片に同時に噛み合わせ、それからその状態を維持しながら噛み合った歯付ベルトと歯付ベルト片をテーブルとクランププレートで挟み込み、最後にテーブルとクランププレートを複数のクランプボルトで締め付けるという作業が要求される。この連結作業を一人で行うことは非常に難しく、特に歯付ベルトのテンションを調節しながら行うことは作業を更に難しくするのである。そして、この連結作業を狭い空間の内部で行うことは不可能に近いのである。
【特許文献１】特開平４−６９４３３号公報
【発明の開示】
【発明が解決しようとする課題】
【０００５】
そこで、本発明が前述の状況に鑑み、解決しようとするところは、直線状の歯付ベルトの端部同士を簡単且つ確実に連結してループ状とすることができるとともに、テンションの調節機能を備える歯付ベルトの連結装置を提供する点にある。
【課題を解決するための手段】
【０００６】
本発明は、前述の課題解決のために、一面に長手方向に直交する凹凸を長手方向に繰り返し形成してなる歯面を有する歯付ベルトの端部同士を、連結具にて連結する歯付ベルトの連結装置であって、前記連結具には、長手方向に沿って、側方へ開放し、前記歯付ベルトの端部を受け入れる係合溝を形成し、該係合溝内の一側壁には前記歯面と相補的な関係にある凹凸繰り返し構造であり、該歯面に噛合する噛合部を形成し、前記連結具の係合溝に前記歯付ベルトの端部を噛合した状態で、少なくとも歯付ベルトの端部に対応する前記係合溝を塞ぐためのカバー片を設け、該カバー片は、前記係合溝の側面側開口部を有する面の一方の縁部に薄肉のヒンジ部を介して一体成形により形成するとともに、該カバー片の遊端部を前記係合溝の側面側開口部を有する面の他方の縁部に設けた嵌合部に係脱可能に係合してなることを特徴とする歯付ベルトの連結装置を構成した（請求項１）。
【０００７】
また、前記係合溝の深さ方向中央部から開口部にかけて溝幅を僅かに拡開させて形成したテーパ部、又は前記係合溝内の噛合部を設けた側壁と対面する側壁に該係合溝に沿った所定間隔毎に、該係合溝の深さ方向に延びて形成した係合リブの何れか一方、又は双方を設けてなることも好ましい（請求項２）。
【０００８】
更に、複数の支柱を所定間隔を隔てて立設し、隣接する一対の支柱の表面側と裏面側のそれぞれに亘ってガラスパネル体を装着し、表裏のガラスパネル体間にブラインドを配設し、一側面に開口部を設けた支柱の上下中間位置に、操作輪をその一部が前面側に露出するように設け且つ支柱の内部に前記操作輪に固定した主プーリを設けるとともに、前記支柱の上部内部にブラインドのスラット角度を調節するスラット角度調節軸に固定した従動プーリを設け、前記主プーリと従動プーリとに歯付ベルトを巻回し、前記操作輪を回転操作してスラット角度を調節する構造のブラインド内蔵間仕切装置において、直線状の歯付ベルトを前記支柱の開口部から内部に挿入して前記主プーリと従動プーリとに巻回し、該主プーリと従動プーリとの間で前記歯付ベルトの両端部を前記連結具にてテンションを調節して連結してなることが好ましい（請求項３）。
【発明の効果】
【０００９】
以上にしてなる請求項１に係る発明の歯付ベルトの連結装置は、直線状の歯付ベルトの両端部を連結具の係合溝に側方から係合し、該係合溝内の一側壁に形成した噛合部に、歯付ベルトの歯面が噛合することにより、長手方向の変位を確実に規制してループ状に簡単且つ確実に連結することができ、また歯付ベルトの端部が連結具の係合溝に係合する位置を調節することにより、ループの全長を調節し、もってテンションを調節することができる。しかも、連結具による連結作業は、係合溝を形成した側からの係合作業のみであるので、狭い空間でも一人で簡単に連結することができる。また、前記連結具の噛合部は、前記歯付ベルトの歯面と相補的な関係にある凹凸繰り返し構造であるので、連結具の係合溝と歯付ベルトの端部の係合が確実であるばかりでなく、係合溝に沿った方向に対する歯付ベルトの端部の係合位置を、噛合部の凹凸のピッチで変更することができるので、ループ状となった歯付ベルトの長さを噛合部の凹凸のピッチで調節することができる。そして、前記連結具の係合溝に前記歯付ベルトの端部を噛合した状態で、少なくとも歯付ベルトの端部に対応する前記係合溝を塞ぐためのカバー片を設け、該カバー片は、前記係合溝の側面側開口部を有する面の一方の縁部に薄肉のヒンジ部を介して一体成形により形成するとともに、該カバー片の遊端部を前記係合溝の側面側開口部を有する面の他方の縁部に設けた嵌合部に係脱可能に係合してなるので、連結具の係合溝と歯付ベルトの端部が係合した連結状態を確実に維持することができる。
【００１０】
請求項２によれば、係合溝の開口部にテーパ部を形成したので、前記歯付ベルトの端部を係合溝の側面側開口部から挿入し易くなり、また係合溝内に深さ方向に向いた係合リブを所定間隔毎に形成したので、係合溝内に係合した歯付ベルトの端部が容易に抜けないようになるとともに、長さ方向への変位も確実に規制することができる。
【００１１】
請求項３によれば、複数の支柱を所定間隔を隔てて立設し、隣接する一対の支柱の表面側と裏面側のそれぞれに亘ってガラスパネル体を装着し、表裏のガラスパネル体間にブラインドを配設したブラインド内蔵間仕切装置において、支柱の上下中間位置に設けた操作輪を回転操作してブラインドのスラット角度を調節するために、操作輪に固定した主プーリとスラット角度調節軸に固定した従動プーリとに歯付ベルトを巻回する構造に本発明を適用した場合、主プーリと従動プーリが支柱内の狭い空間に位置した場合でも、支柱の側面に設けた開口部の方向からの嵌合作業のみで、テンションを調節しながら歯付ベルトの端部同士を連結具によって簡単に連結することができる。
【発明を実施するための最良の形態】
【００１２】
次に、添付図面に示した実施形態に基づき、本発明を更に詳細に説明する。図１〜図７は本発明に係る歯付ベルトの連結装置を示し、図１〜図３は本発明の歯付ベルトの端部と連結具の噛合構造を示し、図４及び図５は本発明の第１実施形態を示し、図６及び図７は本発明の第２実施形態を示し、図中符号１は歯付ベルト、２は歯付ベルトの端部、３は連結具、４は係合溝、５はカバー片をそれぞれ示している。
【００１３】
本発明の歯付ベルトの連結装置は、一面に長手方向に直交する凹凸を長手方向に繰り返し形成してなる歯面６を有する歯付ベルト１の端部２，２同士を、連結具３にて連結する歯付ベルトの連結装置であって、前記連結具３には、長手方向に沿って、側方へ開放し、前記歯付ベルト１の端部２を受け入れる係合溝４を形成し、該係合溝４内の一側壁には前記歯面６に噛合する噛合部７を形成したものである。
【００１４】
本発明で用いる歯付ベルト１は、背ゴム、心線及び歯ゴムを一体成型したものであり、代表的にはタイミングベルトがある。但し、本発明では直線状の歯付ベルト１の両端部２，２を連結具３で連結してループ状とし、一対の歯付プーリの間、若しくはテンション付与プーリを設ける場合には、一方の歯付プーリとテンション付与プーリとの間で連結具３が往復し、該連結具３が如何なるプーリとも接触しないような使用方法に限定される。
【００１５】
先ず、図１及び図２に基づいて、本発明の歯付ベルト１の端部２と連結具３の噛合構造を説明する。前記連結具３は、合成樹脂製の略直方体形状の部材であり、長手方向に沿った一側面と両端面に開口した係合溝４を形成している。そして、前記歯付ベルト１の端部２を連結具３の係合溝４の側面側開口部から係合し、係合溝４の端面側開口部から引き出すのである。
【００１６】
ここで、前記連結具３の噛合部７は、前記歯付ベルト１の歯面６と相補的な関係にある凹凸繰り返し構造である。前記歯付ベルト１の歯面６の凹凸形状は典型的には台形であり、長手方向に直交する方向に凸部６Ａと凹部６Ｂがそれぞれ延びている。前記連結具３の噛合部７も台形の凸部７Ａと凹部７Ｂが側面に開口した係合溝４の溝縁部から内奥へ延びている。そして、前記歯面６の凸部６Ａと前記噛合部７の凹部７Ｂが同形であり、前記歯面６の凹部６Ｂと前記噛合部７の凸部７Ａが同形となっている。しかし、前記歯面６と噛合部７とは完全に相補的な形状である必要はなく、前記歯付ベルト１の端部２と連結具３の係合溝４とが、長手方向に変位することなく係合する形状であれば良い。
【００１７】
図２に示すように、前記歯付ベルト１の両端部２，２を連結具３の係合溝４に係合させる際に、両端部２，２の係合位置を調節することによってループ状となる歯付ベルト１の長さを調節することができる。つまり、歯付ベルト１の両端部２，２をＤ１だけ離した状態（図２（ａ）参照）より、Ｄ２（＜Ｄ１）だけ離した状態（図２（ｂ）参照）に設定する方が長さが短くなり、歯付プーリに巻回した際によりテンションが強くなるのである。この調節は、歯付ベルト１の一方の端部２を連結具３の係合溝４の一方の端部寄りに係合させた後、他方の端部２をテンションを調節しながら係合溝４の他方の端部寄りに係合することにより行えば簡単である。
【００１８】
前記連結具３は、図３に示すように、前記係合溝４の深さ方向中央部から開口部にかけて溝幅が僅かに拡開したテーパ部１６を形成し、前記歯付ベルト１の端部２を係合溝４の側面側開口部から挿入し易くしている。更に、前記係合溝４内の噛合部７を設けた側壁と対面する側壁には、係合溝４に沿った所定間隔毎に、係合溝４の深さ方向に延びた係合リブ１７，…を形成し、係合溝４内に係合した歯付ベルト１の端部２が容易に抜けないようにするとともに、長さ方向への変位も確実に規制するようになっている。尚、前記係合リブ１７，…は、ここでは前記噛合部７の各凹部７Ｂの中心部に対応させて設けている。
【００１９】
次に、図４及び図５に基づいて、本発明の第１実施形態を説明する。本実施形態では、前記歯付ベルト１の端部２と連結具３の噛合構造に加えて、前記連結具３の係合溝４に前記歯付ベルト１の端部２，２を噛合した状態で、少なくとも歯付ベルト１の端部２に対応する前記係合溝４を塞ぐように係脱可能なカバー片５を該連結具３に一体形成している。図４はカバー片５を開いた状態、図５はカバー片５を閉じた状態をそれぞれ示している。
【００２０】
前記カバー片５は、前記係合溝４の側面側開口部を有する面の一方の縁部に薄肉のヒンジ部８を介して一体成形により形成されている。そして、前記カバー片５の遊端部は前記係合溝４の側面側開口部を有する面の他方の縁部に設けた嵌合部９に係脱可能に係合し、当該カバー片５で前記係合溝４の側面側開口部を覆い、前記歯付ベルト１の両端部２，２が側方へ抜けないようになっている。
【００２１】
具体的には、前記嵌合部９は、連結具３の側面の縁部に突条１０を突設し、該突条１０の内側面、即ち係合溝４側の面に係合凹部１１を形成したものであり、前記カバー片５の遊端に突設した係合凸部１２が前記係合凹部１１に係合してその状態を維持できるようになっている。尚、本実施形態では、前記カバー片５は、前記連結具３の略全長に亘って一枚物として形成するが、前記突条１０は中央部に切欠部１３を設けるとともに、前記カバー片５の遊端中央部で前記切欠部１３に対応する内面側に凹部１４を形成し、係合凹部１１と係合凸部１２が係合状態にあるカバー片５を外す場合に、マイナスドラバーの先端を切欠部１３から凹部１４に差し込んで、こねることにより強制的に開くことができるようにしている。その他の前記歯付ベルト１の端部２と連結具３の噛合構造は、前記同様であるので、同一構成には同一符号を付して、その説明は省略する。
【００２２】
次に、図６及び図７に基づいて、第２実施形態を説明する。本実施形態は、第１実施形態の変形例であり、前記連結具３の側面の両端部にそれぞれ独立してカバー片５，５を設けた構造である。図６はカバー片５，５を開いた状態、図７はカバー片５，５を閉じた状態をそれぞれ示している。各カバー片５は、前記係合溝４の側面側開口部を有する面に連続する対向側面のうち、一方の側面の縁部で両端部寄り位置に、薄肉のヒンジ部８を介して一体成形により形成するとともに、他方の側面の縁部で両端部寄り位置に、前記カバー片５の遊端部を係脱可能に係合する嵌合部９を設け、各カバー片５を閉じることにより、それぞれ対応する前記歯付ベルト１の端部２が側方へ抜けないようになっている。
【００２３】
具体的には、前記各カバー片５は、遊端部にＬ字状に屈曲した係合爪１５を有し、前記連結具３の他方の側面の縁部に形成した係合凹部１１に係合爪１５の内側に突設した係合凸部１２が係脱可能に係合するようになっている。各カバー片５を開くときには、前記係合爪１５を強く剥がせば係合凹部１１と係合凸部１２の係合が外れる。本実施形態の場合、一方のカバー片５を閉じて歯付ベルト１の一方の端部２を保持した状態で、他方のカバー片５を開いて歯付ベルト１の他方の端部２の係合溝４に対する係合位置を調節するような場合に便利である。その他の前記歯付ベルト１の端部２と連結具３の噛合構造は、前記同様であるので、同一構成には同一符号を付して、その説明は省略する。
【実施例１】
【００２４】
次に、本発明をブラインド内蔵間仕切装置に適用した実施例を図８〜図１６に基づいて説明する。図８〜図１１は本発明に係るブラインド内蔵間仕切装置を示し、図１２〜図１６はその詳細を示し、図中符号２１は支柱、２２はガラスパネル体、２３はブラインド、２４はスラット角度調節機構をそれぞれ示している。
【００２５】
本発明のブラインド内蔵間仕切装置は、図８〜図１１に示すように、複数の支柱２１を所定間隔を隔てて立設し、隣接する一対の支柱２１，２１の表面側と裏面側のそれぞれに亘ってガラスパネル体２２，２２を装着し、表裏のガラスパネル体２２，２２間にブラインド２３を配設するとともに、前記支柱２１の内部にスラット角度調節機構２４を配設した構造を有している。
【００２６】
ここで、前記ブラインド２３は、図９、図１０及び図１２に示すように、その構造に限定されないが、ブラインド本体部２５から複数の連結紐で連係された多数のスラット２６，…が垂れ下がり、ブラインド本体部２５の一側方から横方向に突出した角度調節軸２７を回転させることにより、スラット２６，…の角度を同時に変えることができるとともに、ブラインド本体部２５の内部に設けた巻取り機構（図示せず）によってスラット２６，…を昇降させることができるものである。
【００２７】
そして、前記スラット角度調節機構２４は、図１１〜図１６に示すように、連動体２８と、駆動体２９と、タイミングベルト３０からなり、前記連動体２８は、前記角度調節軸２７に連結する従動プーリ３１を水平軸芯回りに回動可能に保持する軸受部材３２とから構成され、前記駆動体２９は、主プーリ３３と操作輪３４とが一体となった回転部材を水平軸芯回りに回動可能に保持する操作フレーム３５とから概略構成されている。そして、前記主プーリ３３と従動プーリ３１とにタイミングベルト３０を巻回し、適宜前記駆動体２９の操作フレーム３５に設けたテンション付与プーリ３６でタイミングベルト３０に張力を付与し、前記操作輪１４を回転させることにより、主プーリ３３、タイミングベルト３０、従動プーリ３１を介して、該従動プーリ３１に連結した前記角度調節軸２７を回転し、スラット２６，…の角度を調節するのである。
【００２８】
そして、ブラインド内蔵間仕切装置は、複数の支柱２１を所定間隔を隔てて立設し、隣接する一対の支柱２１，２１の表面側と裏面側のそれぞれに亘って、ガラス板３７の両側縁部と上下縁部にそれぞれ縦枠部材３８，３８と横枠部材３９，３９を取付けたガラスパネル体２２を装着し、表裏のガラスパネル体２２，２２間にブラインド２３を配設するとともに、該ブラインド２３のスラット角度調節軸２７を前記支柱２１内の上部に回動可能に設けた従動プーリ３１に接続する一方、前記支柱２１内の上下中間部に回動可能に主プーリ３３を設けて、前記従動プーリ３１と主プーリ３３とをタイミングベルト３０で連動させ、前記主プーリ３３と一体化して前記支柱２１内に配した操作輪３４の一部を該支柱２１に形成した開口４０から左右に隣接する前記両ガラスパネル体２２，２２間の目地部４１に臨ませてなるものである。
【００２９】
更に詳しくは、本発明における間仕切装置の構造は、基本的にはガラスパネル装置と同様であり、床面Ｆに敷設した地レール４２と天井Ｓに取付けた天レール４３との間に支柱２１を立設し、該支柱２１の一側面側に第１支持部材４４を取付け、他側面側に第２支持部材４５を取付け、前記ガラスパネル体２２の両側部を係止具４６，…を用いて第１支持部材４４と第２支持部材４５とに係止して取付けるのである。
【００３０】
ここで、前記ガラスパネル体２２は、図９及び図１０に示すように、予め所定の大きさに切断したガラス板３７の両側縁部と上下縁部にそれぞれ縦枠部材３８，３８と横枠部材３９，３９の保持溝４７，…に嵌合して取付けるとともに、各角部で縦枠部材３８と横枠部材３９とを連結して、ガラス板３７の周囲を枠体で保護している。このように、パネル製造工場にて、ガラス板３７の周囲を縦枠部材３８，３８と横枠部材３９，３９からなる枠体で保護してガラスパネル体２２としたので、このガラスパネル体２２を施工現場へ搬送し、通常のスチール製パネル板と同様に取り扱って施工することができる。
【００３１】
更に詳しくは、前記縦枠部材３８及び横枠部材３９は、アルミニウム製の押出し型材であり、縦枠部材３８は、前記ガラス板３７の背面に接合する裏板４８の外側縁に該ガラス板３７の側端面に対応する側板４９及び該側板４９の前縁から前記裏板４８に平行に内方へ延びた表片５０を形成し、前記裏板４８、側板４９及び表片５０とでガラス板３７の側縁部を嵌合する保持溝４７を形成するとともに、前記裏板４８の内側縁から背面側へ延びた内板５１を形成し、該内板５１の外側に前記裏板４８と間に空間を形成して取付板５２を延設したものである。そして、前記縦枠部材３８の前記取付板５２には、前記係止具４６を用いて支柱１へ取付けるための取付孔（図示せず）を上下方向へ所定間隔を隔てて複数形成している。ここで、前記縦枠部材３８の内板５１は、表裏の両ガラスパネル体２２，２２を支柱２１を利用して装着した状態で、表裏に相対向する縦枠部材３８，３８の内板５１，５１同士が突き合い当接するように幅広に形成している。
【００３２】
次に、前記ガラスパネル体２２を両側の支柱２１，２１に取付ける構造を簡単に説明する。前記ガラスパネル体２２は、直接前記支柱２１に取付けるのではなく、支柱２１の側面側に取付けた該支柱２１より前後幅が小さい前記第１支持部材４４と第２支持部材４５とに係止具４６，…を用いて取付けるのである。ここで、前記支柱２１は、側面板５３の前後に前面板５４と後面板５５とを有する断面略コ字形で、前面板５４と後面板５５の端縁を内向きに折曲して補強縁５６，５６を形成したものである。そして、前記支柱２１の下端にはアジャスター５７の支柱部を嵌着し、また上端には天固定具５８を嵌着している。
【００３３】
また、前記第１支持部材４４は、固定板５９の表裏両側に支持板６０，６０を形成した断面略コ字形の部材であり、その凹溝部６１を側方へ向けて前記支柱２１の側面板５３の外面に前記固定板５９を面接合状態でネジにて取付ける。そして、前記第１支持部材４４の両支持板６０，６０には、前記ガラスパネル体２２の取付孔に応じて係止具４６を係止するための係止孔（図示せず）を上下方向に複数形成している。また、前記第２支持部材４５は、横幅寸法が前記第１支持部材４４よりも大きくした以外には同じであるので、同一構成には同一符号を付してその説明は省略する。前記第１支持部材４４と異なる点は、前記第２支持部材４５の凹溝部６１を側方へ向けてその大部分を前記支柱１の内部に収容した状態で、前記支柱１の側面板５３の内面に前記固定板５９を面接合状態で前述と同じネジにて取付ける。そして、前記支柱２１から側方へ突出した前記第２支持部材４５の両支持板６０，６０の突出部分に係止孔を上下方向に複数形成している。
【００３４】
前記係止具４６は、図９に示すように、中央部にくびれ部６２を有し、その両側に係止片６３，６３を有し、一方の係止片６３を前記第１支持部材４４と第２支持部材４５の係止孔に係止しておき、該前記第１支持部材４４と第２支持部材４５から突出した他方の係止片６３を前記ガラスパネル体２２の取付板５２に形成した取付孔内に挿入して係止するのである。
【００３５】
先ず、前記ブラインド本体部２５は、図９に示すように、前記天レール４３の溝内に下向きに取付けた断面略コ字形の保持部材６４に下方から嵌着して取付けるようになっている。つまり、保持部材６４には凹溝内に係止爪６５，６５が突設されており、該凹溝内にブラインド本体部２５を嵌入すると、係止爪６５，６５によって外れ止めがなされた状態で嵌着するのである。
【００３６】
次に、図１１、図１２、図１４及び図１５に基づいて、前記連動体２８の構造及び取付け構造を説明する。前記連動体２８は、前記支柱２１の上端部に装着し、前記天レール４３に支柱２１を保持するための天固定具５８に予め固定している。尚、前記連動体２８は、支柱２１を立設した後に、前記天固定具５８にネジ止めしても良い。前記天固定具５８は、断面略コ字形の部材であり、前記支柱２１の補強縁５６，５６の内面側に両側片６６，６６を当接した状態で、連結片６７をネジ６８によって側面板５３を押圧して保持する。そして、前記連動体２８は、前記天固定具５８の内部にネジ止めあるいは溶接にて固定する軸受部材３２に前記従動プーリ３１を水平な軸芯回りに回動可能に保持し、その軸部の一端を軸受部材３２から側方へ突出させて連結軸６９としている。そして、前記支柱２１を天固定具５８に嵌着するとともに、角度調節軸２７を前記連動体２８の連結軸６９に連結し、前記従動プーリ３１と角度調節軸２７とを直結するのである。
【００３７】
そして、図１１、図１３、図１４、図１６に基づいて、前記駆動体２９の構造及び取付け構造を説明する。前記駆動体２９は、前記支柱１の上下略全長に渡った内部に取付けた前記第２支持部材４５の凹溝部６１内に装着する。前記駆動体２９は、操作フレーム３５に主プーリ３３と操作輪３４とが一体となった回転部材を水平軸芯回りに回動可能に保持するとともに、テンション付与プーリ３６を上方に並設している。前記操作フレーム３５は、縦長基板７０の上下端部に固定片７１，７１を設け、その中間に平行な軸受板７２，７２を折曲形成し、両軸受板７２，７２の間に前記主プーリ３３と操作輪３４とが一体となった回転部材を装着するとともに、テンション付与プーリ３６を、軸を前後にずらせて装着している。また、前記操作フレーム３５の固定片７１，７１には、上下に長い長孔７３，７３を形成している。
【００３８】
そして、前記駆動体２９を取付ける支柱２１の前面板５４には開口４０を形成するとともに、該開口４０に対応した前記第２支持部材４５の両支持板６０，６０には該開口４０の上下寸法より若干大きな切欠部７４，７４を形成している。尚、両支持板６０，６０にそれぞれ切欠部７４を設けたのは、パネルの前後両面に選択的に駆動体２９の操作輪３４を露出させる配置で取付けることができるようにするためである。そして、前記操作フレーム３５の固定片７１，７１の長孔７３，７３に対応して、切欠部７４の上下部に対応する支持板６０には螺孔７５，７５を形成し、前記長孔７３を通したネジ７６を螺合できるようにしている。尚、前記ネジ７６がタッピンネジであれば、前記螺孔７５は下穴でよい。また、前記螺孔７５，７５に対応する支柱２１の前面板５４には、前記ネジ７６の頭部が通過する通孔７７，７７を形成している。前記第２支持部材４５は、前記支柱２１の両補強縁５６，５６に略接触するように取付けられているので、該第２支持部材４５の支持板６０と支柱１の前面板５４との間には前記操作フレーム３５の固定片７１，７１を挿入するのに十分な空間を有している。尚、前記操作フレーム３５が側方から通過できるように前記支柱２１の補強縁５６は開口４０よりも大きく切欠している。
【００３９】
そして、前記タイミングベルト３０は、所定長さに切断した状態のものを用意し、前記角度調節軸２７を連動体２８の連結軸６９に連結する前に、その端部から従動プーリ３１を回転させながら所定長さ巻き込んだ状態にしておく。それから、前述のように角度調節軸２７を連動体２８の連結軸６９に連結する。そして、前記タイミングベルト３０の端部から前記駆動体２９の主プーリ３３に該主プーリ３３を回転させながら巻き込み、それからタイミングベルト３０の端部同士を本発明の連結具３で連結する。そして、前記駆動体２９を引き下げて、タイミングベルト３０に張力を加えながら、操作フレーム３５の固定片７１，７１を前記第２支持部材４５の支持板６０と支柱２１の前面板５４との間に挿入し、前記支持板６０の前面側に固定片７１，７１を当接した状態で、前記ネジ７６，７６を支柱２１の通孔７７，７７から挿入して固定片７１，７１の長孔７３，７３を通して螺孔７５，７５に螺合する。この状態で、前記駆動体２９の操作輪３４の円周部の一部が支柱２１の開口４０から前面側へ露出する。それから、前述のように、支柱２１の表裏両面側に、前記第１支持部材４４と第２支持部材４５とを利用してガラスパネル体２２，２２を装着するのである。この際に、左右に隣接する両ガラスパネル体２２，２２の間に形成される目地部４１に前記操作輪３４の一部が露出するのである。
【図面の簡単な説明】
【００４０】
【図１】本発明の歯付ベルトの連結装置における歯付ベルトの端部と連結具の噛合構造を示す分解斜視図である。
【図２】同じく連結具にて歯付ベルトの両端部を連結した状態を示し、（ａ）は歯付ベルトの両端部の間隔がＤ１の場合の側面図、（ｂ）は歯付ベルトの両端部の間隔がＤ２の場合の側面図である。
【図３】連結具を示し、（ａ）は正面図、（ｂ）は中央拡大断面図である。
【図４】本発明の歯付ベルトの連結装置の第１実施形態を示し、カバー片を開いた状態の斜視図である。
【図５】同じくカバー片を閉じた状態の斜視図である。
【図６】本発明の歯付ベルトの連結装置の第２実施形態を示し、カバー片を開いた状態の斜視図である。
【図７】同じくカバー片を閉じた状態の斜視図である。
【図８】本発明を採用したブラインド内蔵間仕切装置の正面図である。
【図９】同じく縦断面図である。
【図１０】同じく横断面図である。
【図１１】角度調節機構を示す一部省略縦断面図である。
【図１２】連動体とその取付構造を示す分解斜視図である。
【図１３】駆動体とその取付構造を示す分解斜視図である。
【図１４】角度調節機構を支柱に取付ける状態を示す説明用正面図である。
【図１５】連動体を取付けた状態の拡大横断面図である。
【図１６】駆動体を取付ける前と後を示す拡大横断面図である。
【符号の説明】
【００４１】
１  歯付ベルト、          ２  端部、
３  連結具、              ４  係合溝、
５  カバー片、            ６  歯面、
７  噛合部、              ８  ヒンジ部、
９  嵌合部、              １０  突条、
１１  係合凹部、          １２  係合凸部、
１３  切欠部、            １４  凹部、
１５  係合爪、            １６  テーパ部、
１７  係合リブ、
２１  支柱、              ２２  ガラスパネル体、
２３  ブラインド、        ２４  角度調節機構、
２５  ブラインド本体部、  ２６  スラット、
２７  角度調節軸、        ２８  連動体、
２９  駆動体、            ３０  タイミングベルト（歯付ベルト）、
３１  従動プーリ、        ３２  軸受部材、
３３  主プーリ、          ３４  操作輪、
３５  操作フレーム、      ３６  テンション付与プーリ、
３７  ガラス板、          ３８  縦枠部材、
３９  横枠部材、          ４０  開口、
４１  目地部、            ４２  地レール、
４３  天レール、          ４４  第１支持部材、
４５  第２支持部材、      ４６  係止具、
４７  保持溝、            ４８  裏板、
４９  側板、              ５０  表片、
５１  内板、              ５２  取付板、
５３  側面板、            ５４  前面板、
５５  後面板、            ５６  補強縁、
５７  アジャスター、      ５８  天固定具、
５９  固定板、            ６０  支持板、
６１  凹溝部、            ６２  くびれ部、
６３  係止片、            ６４  保持部材、
６５  係止爪、            ６６  側片、
６７  連結片、            ６８  ネジ、
６９  連結軸、            ６０  基板、
７１  固定片、            ７２  軸受板、
７３  長孔、              ７４  切欠部、
７５  螺孔、              ７６  ネジ、
７７  通孔、              Ｆ  床面、
Ｓ  天井。
【図１】
0004862812.tif 000002
【図２】
0004862812.tif 000003
【図３】
0004862812.tif 000004
【図４】
0004862812.tif 000005
【図５】
0004862812.tif 000006
【図６】
0004862812.tif 000007
【図７】
0004862812.tif 000008
【図８】
0004862812.tif 000009
【図９】
0004862812.tif 000010
【図１０】
0004862812.tif 000011
【図１１】
0004862812.tif 000012
【図１２】
0004862812.tif 000013
【図１３】
0004862812.tif 000014
【図１４】
0004862812.tif 000015
【図１５】
0004862812.tif 000016
【図１６】
0004862812.tif 000017